【手続補正書】
【提出日】平成28年3月24日(2016.3.24)
【手続補正１】
【補正対象書類名】特許請求の範囲
【補正対象項目名】全文
【補正方法】変更
【補正の内容】
【特許請求の範囲】
【請求項１】
基地局装置（ｅＮＢ）へ情報を送信する端末装置（ＵＥ）であって、前記端末装置（ＵＥ）は、
プライマリセル（ＰＣｅｌｌ）の時分割多重（ＴＤＤ）上り下りリンク（ＵＬ−ＤＬ）構成とセカンダリセル（ＳＣｅｌｌ）のＴＤＤ  ＵＬ−ＤＬ構成とを確定するように構成されたオペレーション部であって、前記ＳＣｅｌｌの前記ＴＤＤ  ＵＬ−ＤＬ構成は前記ＰＣｅｌｌの前記ＴＤＤ  ＵＬ−ＤＬ構成とは異なる、前記オペレーション部と、
あるセルのための上りリンク（ＵＬ）サブフレームｎでハイブリッド自動再送要求／肯定応答（ＨＡＲＱ−ＡＣＫ）情報を送信するように構成された送信部と、を備え、
前記ＵＬサブフレームｎが物理下りリンク共有チャネル（ＰＤＳＣＨ）のサブフレームｎ−ｋに対応しており、集合Ｋは、前記サブフレームｎ−ｋが前記セルにおける下りリンク（ＤＬ）サブフレーム又はスペシャルサブフレームに対応するような１つ以上のｋの値を含み、
前記ＰＣｅｌｌに対する前記集合Ｋは、前記ＰＣｅｌｌの前記ＴＤＤ  ＵＬ−ＤＬ構成に基づいて確定され、前記ＳＣｅｌｌに対する前記集合Ｋは、前記ＰＣｅｌｌの前記ＴＤＤ  ＵＬ−ＤＬ構成と前記ＳＣｅｌｌの前記ＴＤＤ  ＵＬ−ＤＬ構成とに基づいて確定されたＴＤＤ  ＵＬ−ＤＬ構成に基づいて確定される、
端末装置（ＵＥ）。
【請求項２】
端末装置（ＵＥ）から情報を受信する基地局装置（ｅＮＢ）であって、前記基地局装置（ｅＮＢ）は、
プライマリセル（ＰＣｅｌｌ）の時分割多重（ＴＤＤ）上り下りリンク（ＵＬ−ＤＬ）構成とセカンダリセル（ＳＣｅｌｌ）のＴＤＤ  ＵＬ−ＤＬ構成とを確定するように構成されたオペレーション部であって、前記ＳＣｅｌｌの前記ＴＤＤ  ＵＬ−ＤＬ構成は前記ＰＣｅｌｌの前記ＴＤＤ  ＵＬ−ＤＬ構成とは異なる、前記オペレーション部と、
あるセルのための上りリンク（ＵＬ）サブフレームｎでハイブリッド自動再送要求／肯定応答（ＨＡＲＱ−ＡＣＫ）情報を受信するように構成された受信部と、を備え、
前記ＵＬサブフレームｎが物理下りリンク共有チャネル（ＰＤＳＣＨ）のサブフレームｎ−ｋに対応しており、集合Ｋは、前記サブフレームｎ−ｋが前記セルにおける下りリンク（ＤＬ）サブフレーム又はスペシャルサブフレームに対応するような１つ以上のｋの値を含み、
前記ＰＣｅｌｌに対する前記集合Ｋは、前記ＰＣｅｌｌの前記ＴＤＤ  ＵＬ−ＤＬ構成に基づいて確定され、前記ＳＣｅｌｌに対する前記集合Ｋは、前記ＰＣｅｌｌの前記ＴＤＤ  ＵＬ−ＤＬ構成と前記ＳＣｅｌｌの前記ＴＤＤ  ＵＬ−ＤＬ構成とに基づいて確定されたＴＤＤ  ＵＬ−ＤＬ構成に基づいて確定される、
基地局装置（ｅＮＢ）。
【請求項３】
端末装置（ＵＥ）が情報を送信する方法であって、前記方法は、
プライマリセル（ＰＣｅｌｌ）の時分割多重（ＴＤＤ）上り下りリンク（ＵＬ−ＤＬ）構成と、セカンダリセル（ＳＣｅｌｌ）のＴＤＤ  ＵＬ−ＤＬ構成とを確定するステップであって、前記ＳＣｅｌｌの前記ＴＤＤ  ＵＬ−ＤＬ構成は前記ＰＣｅｌｌの前記ＴＤＤ  ＵＬ−ＤＬ構成とは異なる、前記確定するステップと、
あるセルのための上りリンク（ＵＬ）サブフレームｎでハイブリッド自動再送要求／肯定応答（ＨＡＲＱ−ＡＣＫ）情報を送信するステップと、を含み、
前記ＵＬサブフレームｎが物理下りリンク共有チャネル（ＰＤＳＣＨ）のサブフレームｎ−ｋに対応しており、集合Ｋは、前記サブフレームｎ−ｋが前記セルにおける下りリンク（ＤＬ）サブフレーム又はスペシャルサブフレームに対応するような１つ以上のｋの値を含み、
前記ＰＣｅｌｌに対する前記集合Ｋは、前記ＰＣｅｌｌの前記ＴＤＤ  ＵＬ−ＤＬ構成に基づいて確定され、前記ＳＣｅｌｌに対する前記集合Ｋは、前記ＰＣｅｌｌの前記ＴＤＤ  ＵＬ−ＤＬ構成と前記ＳＣｅｌｌの前記ＴＤＤ  ＵＬ−ＤＬ構成とに基づいて確定されたＴＤＤ  ＵＬ−ＤＬ構成に基づいて確定される、
方法。
【請求項４】
基地局装置（ｅＮＢ）が情報を受信する方法であって、前記方法は、
プライマリセル（ＰＣｅｌｌ）の時分割多重（ＴＤＤ）上り下りリンク（ＵＬ−ＤＬ）構成とセカンダリセル（ＳＣｅｌｌ）のＴＤＤ  ＵＬ−ＤＬ構成とを確定するステップであって、前記ＳＣｅｌｌの前記ＴＤＤ  ＵＬ−ＤＬ構成は前記ＰＣｅｌｌの前記ＴＤＤ  ＵＬ−ＤＬ構成とは異なる、前記確定するステップと、
あるセルのための上りリンク（ＵＬ）サブフレームｎでハイブリッド自動再送要求／肯定応答（ＨＡＲＱ−ＡＣＫ）情報を受信するステップと、を含み、
前記ＵＬサブフレームｎが物理下りリンク共有チャネル（ＰＤＳＣＨ）のサブフレームｎ−ｋに対応しており、集合Ｋは、前記サブフレームｎ−ｋが前記セルにおける下りリンク（ＤＬ）サブフレーム又はスペシャルサブフレームに対応するような１つ以上のｋの値を含み、
前記ＰＣｅｌｌに対する前記集合Ｋは、前記ＰＣｅｌｌの前記ＴＤＤ  ＵＬ−ＤＬ構成に基づいて確定され、前記ＳＣｅｌｌに対する前記集合Ｋは、前記ＰＣｅｌｌの前記ＴＤＤ  ＵＬ−ＤＬ構成と前記ＳＣｅｌｌの前記ＴＤＤ  ＵＬ−ＤＬ構成とに基づいて確定されたＴＤＤ  ＵＬ−ＤＬ構成に基づいて確定される、
方法。
【請求項５】
端末装置（ＵＥ）に複数の機能を実行させるために前記ＵＥに搭載された集積回路であって、前記集積回路は、前記ＵＥに、
プライマリセル（ＰＣｅｌｌ）の時分割多重（ＴＤＤ）上り下りリンク（ＵＬ−ＤＬ）構成と、セカンダリセル（ＳＣｅｌｌ）のＴＤＤ  ＵＬ−ＤＬ構成とを確定するステップであって、前記ＳＣｅｌｌの前記ＴＤＤ  ＵＬ−ＤＬ構成は前記ＰＣｅｌｌの前記ＴＤＤ  ＵＬ−ＤＬ構成とは異なる、前記確定するステップと、
あるセルのための上りリンク（ＵＬ）サブフレームｎでハイブリッド自動再送要求／肯定応答（ＨＡＲＱ−ＡＣＫ）情報を送信するステップと、を実行させ、
前記ＵＬサブフレームｎが物理下りリンク共有チャネル（ＰＤＳＣＨ）のサブフレームｎ−ｋに対応しており、集合Ｋは、前記サブフレームｎ−ｋが前記セルにおける下りリンク（ＤＬ）サブフレーム又はスペシャルサブフレームに対応するような１つ以上のｋの値を含み、
前記ＰＣｅｌｌに対する前記集合Ｋは、前記ＰＣｅｌｌの前記ＴＤＤ  ＵＬ−ＤＬ構成に基づいて確定され、前記ＳＣｅｌｌに対する前記集合Ｋは、前記ＰＣｅｌｌの前記ＴＤＤ  ＵＬ−ＤＬ構成と前記ＳＣｅｌｌの前記ＴＤＤ  ＵＬ−ＤＬ構成とに基づいて確定されたＴＤＤ  ＵＬ−ＤＬ構成に基づいて確定される、
集積回路。
【請求項６】
基地局装置（ｅＮＢ）に複数の機能を実行させるために前記ｅＮＢに搭載された集積回路であって、前記集積回路は、前記ｅＮＢに、
プライマリセル（ＰＣｅｌｌ）の時分割多重（ＴＤＤ）上り下りリンク（ＵＬ−ＤＬ）構成とセカンダリセル（ＳＣｅｌｌ）のＴＤＤ  ＵＬ−ＤＬ構成とを確定するステップであって、前記ＳＣｅｌｌの前記ＴＤＤ  ＵＬ−ＤＬ構成は前記ＰＣｅｌｌの前記ＴＤＤ  ＵＬ−ＤＬ構成とは異なる、前記確定するステップと、
あるセルのための上りリンク（ＵＬ）サブフレームｎでハイブリッド自動再送要求／肯定応答（ＨＡＲＱ−ＡＣＫ）情報を受信するステップと、を実行させ、
前記ＵＬサブフレームｎが物理下りリンク共有チャネル（ＰＤＳＣＨ）のサブフレームｎ−ｋに対応しており、集合Ｋは、前記サブフレームｎ−ｋが前記セルにおける下りリンク（ＤＬ）サブフレーム又はスペシャルサブフレームに対応するような１つ以上のｋの値を含み、
前記ＰＣｅｌｌに対する前記集合Ｋは、前記ＰＣｅｌｌの前記ＴＤＤ  ＵＬ−ＤＬ構成に基づいて確定され、前記ＳＣｅｌｌに対する前記集合Ｋは、前記ＰＣｅｌｌの前記ＴＤＤ  ＵＬ−ＤＬ構成と前記ＳＣｅｌｌの前記ＴＤＤ  ＵＬ−ＤＬ構成とに基づいて確定されたＴＤＤ  ＵＬ−ＤＬ構成に基づいて確定される、
集積回路。